(57)【要約】【課題】利便性の高い電子キーシステムを提供する。【解決手段】所定の施解錠操作が行われたときにトリガ信号を出力するトリガスイッチ１４、１５と、トリガ信号に基づいて錠の施解錠を行う第１制御方式と、通信エリア３０内の携帯機２０の有無に基づいて錠の施解錠を行う第２制御方式との双方に従った制御が可能な照合制御ユニット１１と、識別コードに対応する制御方式情報を書換え可能に記憶する不揮発性メモリ１８とを有し、照合制御ユニット１１は、入力される設定操作信号に基づいて、識別コードに対応する制御方式情報を不揮発性メモリ１８に予め記憶させるようになっており、携帯機２０から識別コードを受信したときには、識別コードに対応する制御方式情報を不揮発性メモリ１８から読み出し、読み出した制御方式に従って錠を施解錠する。【選択図】図３
2010229682.tif 000002
【特許請求の範囲】
【請求項１】
携帯機から無線受信した識別コードの照合結果に基づいて所定の制御方式により錠の施解錠を行う電子キーシステムの錠装置であって、
前記識別コードの送信を要求するリクエスト信号を所定の通信エリアに定期的に発信する発信手段と、
前記通信エリア内に存在する前記携帯機から前記識別コードを受信する受信手段と、
所定の施錠操作が行われたときに、前記錠を施錠するための施錠トリガ信号を出力する施錠操作手段と、
所定の解錠操作が行われたときに、前記錠を解錠するための解錠トリガ信号を出力する解錠操作手段と、
前記施錠トリガ信号又は前記解錠トリガ信号に基づいて前記錠の施解錠を行う第１制御方式と、前記通信エリア内の前記携帯機の有無に基づいて前記錠の施解錠を行う第２制御方式との双方に従った制御が可能な制御手段と、
前記識別コードに対応する制御方式が前記第１制御方式又は前記第２制御方式のいずれであるかを表す制御方式情報を書換え可能に記憶する記憶手段とを有し、
前記制御手段は、
入力される設定操作信号に基づいて、前記識別コードに対応する制御方式情報を前記記憶手段に予め記憶させるようになっており、
前記携帯機から前記識別コードを受信したときには、前記識別コードに対応する制御方式情報を前記記憶手段から読み出し、
前記識別コードに対応する制御方式が前記第１制御方式の場合、前記第１制御方式に従って前記錠を施解錠し、
前記識別コードに対応する制御方式が前記第２制御方式の場合、前記第２制御方式に従って前記錠を施解錠することを特徴とする電子キーシステムの錠装置。
【請求項２】
設定操作に基づいて前記設定操作信号を出力する設定操作手段をさらに有することを特徴とする請求項１に記載の電子キーシステムの錠装置。
【請求項３】
設定操作に基づいて前記設定操作信号を出力する設定操作手段を接続可能な接続端子をさらに有することを特徴とする請求項１に記載の電子キーシステムの錠装置。
【請求項４】
請求項１乃至３のいずれか１項に記載の電子キーシステムの錠装置と、前記携帯機とを有することを特徴とする電子キーシステム。
【発明の詳細な説明】
【技術分野】
【０００１】
本発明は、携帯機から無線受信した識別コードの照合結果に基づいて錠の施解錠を行う電子キーシステム及び電子キーシステムの錠装置に関する。
【背景技術】
【０００２】
従来、携帯機から無線受信した識別コードの照合結果に基づいて錠の施解錠を行う電子キーシステムに関し、２種類の制御方式が知られている。一方の制御方式では、リクエスト信号が定期的に発信される通信エリア内に携帯機が存在する状態で、トリガとなる所定の施錠操作又は解錠操作がユーザにより行われると、錠を施錠又は解錠するようになっている（例えば、特許文献１参照）。他方の制御方式では、ユーザが施解錠操作を行うことなく、携帯機が通信エリア内に進入すると錠を解錠し、携帯機が通信エリア外に移動すると錠を施錠するようになっている。
【先行技術文献】
【特許文献】
【０００３】
【特許文献１】特開２００９−５２３３８号公報
【発明の概要】
【発明が解決しようとする課題】
【０００４】
従来の電子キーシステムでは、上記のいずれか一方の制御方式に従って作動するようになっている。このため、電子キーシステムの制御方式がユーザの希望する制御方式と異なる場合、当該ユーザにとっては必ずしも利便性が高くないという問題がある。
【０００５】
本発明の目的は、利便性のより高い電子キーシステム及び電子キーシステムの錠装置を提供することにある。
【課題を解決するための手段】
【０００６】
本発明は上記目的を達成するために、以下の技術的手段を採用する。
【０００７】
請求項１に記載の発明は、携帯機から無線受信した識別コードの照合結果に基づいて所定の制御方式により錠の施解錠を行う電子キーシステムの錠装置であって、識別コードの送信を要求するリクエスト信号を所定の通信エリアに定期的に発信する発信手段と、通信エリア内に存在する携帯機から識別コードを受信する受信手段と、所定の施錠操作が行われたときに、錠を施錠するための施錠トリガ信号を出力する施錠操作手段と、所定の解錠操作が行われたときに、錠を解錠するための解錠トリガ信号を出力する解錠操作手段と、施錠トリガ信号又は解錠トリガ信号に基づいて錠の施解錠を行う第１制御方式と、通信エリア内の携帯機の有無に基づいて錠の施解錠を行う第２制御方式との双方に従った制御が可能な制御手段と、識別コードに対応する制御方式が第１制御方式又は第２制御方式のいずれであるかを表す制御方式情報を書換え可能に記憶する記憶手段とを有し、制御手段は、入力される設定操作信号に基づいて、識別コードに対応する制御方式情報を記憶手段に予め記憶させるようになっており、携帯機から識別コードを受信したときには、識別コードに対応する制御方式情報を記憶手段から読み出し、識別コードに対応する制御方式が第１制御方式の場合、第１制御方式に従って錠を施解錠し、識別コードに対応する制御方式が第２制御方式の場合、第２制御方式に従って錠を施解錠することを特徴とする電子キーシステムの錠装置である。
【０００８】
これによると、制御手段は、携帯機から識別コードを受信したとき、当該識別コードに対応する制御方式情報を記憶手段から読み出し、読み出した制御方式に従って錠の施解錠を行う。識別コードに対応する制御方式情報は、記憶手段に書換え可能に記憶されており、設定操作信号に基づいて書き換えられるようになっている。したがって、電子キーシステムの制御方式をユーザの希望する制御方式に変更することが可能になるため、利便性のより高い電子キーシステムが得られる。
【０００９】
請求項２に記載の発明は、設定操作に基づいて設定操作信号を出力する設定操作手段をさらに有することを特徴としている。
【００１０】
これにより、ユーザ等が設定操作手段を操作することによって、携帯機の識別コードに対応する制御方式情報を容易に書き換えられるようになる。
【００１１】
請求項３に記載の発明は、設定操作に基づいて設定操作信号を出力する設定操作手段を接続可能な接続端子をさらに有することを特徴としている。
【００１２】
これにより、ユーザ等が設定操作手段を操作することによって、携帯機の識別コードに対応する制御方式情報を容易に書き換えられるとともに、必要時以外には設定操作手段を取り外すことができるため、錠装置を小型軽量化できる。
【００１３】
請求項４に記載の発明は、上記発明の電子キーシステムの錠装置と、携帯機とを有することを特徴とする電子キーシステムである。これにより、上記発明と同様の効果が得られる。
【図面の簡単な説明】
【００１４】
【図１】第１実施形態における電子キーシステムの構成を示すブロック図である。
【図２】車室外に形成される通信エリアの一例を示す図である。
【図３】第１実施形態における電子キーシステムの解錠動作の一例を示すフローチャートである。
【図４】第１実施形態における電子キーシステムの施錠動作の一例を示すフローチャートである。
【図５】第２実施形態における電子キーシステムの構成を示すブロック図である。
【発明を実施するための形態】
【００１５】
（第１実施形態）
本発明の第１実施形態について図１乃至図４を用いて説明する。図１は、本実施形態における車両用の電子キーシステムの構成を示すブロック図である。図１に示すように、電子キーシステム１は、車両に搭載される錠装置１０と、ユーザに電子キーとして携帯される例えば複数の携帯機２０とを有している。錠装置１０と携帯機２０との間では、無線による双方向通信が行われるようになっている。
【００１６】
携帯機２０には、それぞれ固有の識別コードが登録されている。携帯機２０は、錠装置１０からのリクエスト信号を受信すると、識別コード信号等の必要な応答信号を例えばＲＦ帯の電波に重畳させて無線送信するようになっている。
【００１７】
錠装置１０は、照合制御ユニット１１と、照合制御ユニット１１にそれぞれ接続されたドア送信アンテナ１２、受信ユニット１３、ドア解錠トリガスイッチ１４、ドア施錠トリガスイッチ１５、ドア施解錠機構１６、設定操作スイッチ１７とを有している。
【００１８】
照合制御ユニット（制御手段）１１は、錠装置１０の施解錠制御を行うマイコン（図示せず）を有している。マイコンには、携帯機２０毎の識別コードにそれぞれ対応する識別コードや施解錠制御の制御プログラムが格納されたＲＯＭと、ＲＯＭに格納された制御プログラムを実行するＣＰＵと、制御プログラム実行中に得られるデータを一時的に記憶するＲＡＭと、外部との間でデータの入出力を行うＩ／Ｏポートとが備えられている。また照合制御ユニット１１は、所定の情報を書換え可能に記憶する不揮発性メモリ（記憶手段）１８を有している。例えば不揮発性メモリ１８は、マイコン内蔵又は外付けのフラッシュメモリである。さらに照合制御ユニット１１は、ＣＡＮ等の通信ネットワークを介して他の制御装置との通信を行うようになっている。
【００１９】
ドア送信アンテナ（発信手段）１２は、車両の各ドア毎に設けられており、ドアハンドルの近傍に設置されている（図２参照）。各ドア送信アンテナ１２は、照合制御ユニット１１で生成されたリクエスト信号を、例えばＬＦ帯の電波に重畳させて車室外の所定の通信エリアに定期的に発信するようになっている。
【００２０】
図２は、車室外に形成される通信エリア３０の一例を示している。図２に示すように、各通信エリア３０は、ドア毎に設けられたドア送信アンテナ１２を中心としてそれぞれ形成されている。これらの通信エリア３０は、携帯機２０の接近を検知する検知エリアとなる。
【００２１】
受信ユニット（受信手段）１３は、通信エリア３０内に存在する携帯機２０からの識別コード信号等を受信し、照合制御ユニット１１に出力するようになっている。
【００２２】
ドア解錠トリガスイッチ（解錠操作手段）１４は、車両の各ドア毎に設けられている。各ドア解錠トリガスイッチ１４は、例えば、ドアハンドルの裏面側に設けられたタッチスイッチをそれぞれ有している。ドア解錠トリガスイッチ１４は、ユーザがタッチスイッチに触れることにより解錠操作が行われると、錠を解錠するための解錠トリガ信号を照合制御ユニット１１に対し出力するようになっている。
【００２３】
ドア施錠トリガスイッチ（施錠操作手段）１５は、車両の各ドア毎に設けられている。各ドア施錠トリガスイッチ１５は、例えば、ドアハンドル近傍に設けられたプッシュスイッチをそれぞれ有している。ドア施錠トリガスイッチ１５は、ユーザがプッシュスイッチを押すことにより施錠操作が行われると、錠を施錠するための施錠トリガ信号を照合制御ユニット１１に対し出力するようになっている。
【００２４】
ドア施解錠機構１６は、車両の各ドア毎に設けられている。各ドア施解錠機構１６は、照合制御ユニット１１からの制御信号に基づいてドアの錠を施解錠する電磁式のアクチュエータをそれぞれ有している。
【００２５】
本実施形態の照合制御ユニット１１は、通信エリア３０内に携帯機２０が存在する状態で入力される施錠トリガ信号又は解錠トリガ信号に基づいて錠の施解錠を行う方式１（第１制御方式）と、通信エリア３０内の携帯機２０の有無に基づいて錠の施解錠を行う方式２（第２制御方式）との双方に従った施解錠制御が可能になっている。方式１及び方式２のいずれの制御方式で施解錠制御を行うかを表す制御方式情報は、携帯機２０の識別コード毎に関連づけられ、不揮発性メモリ１８内に書換え可能に記憶されている。
【００２６】
設定操作スイッチ（設定操作手段）１７は、ユーザの操作により携帯機２０の制御方式を設定（選択）するために設けられている。ユーザによる設定操作が行われると、設定操作スイッチ１７は、照合制御ユニット１１に所定の設定操作信号を出力する。照合制御ユニット１１は、入力した設定操作信号に基づいて、ユーザが所持する携帯機２０の識別コードに対応する制御方式を不揮発性メモリ１８に書き込む。当該識別コードに対応する制御方式情報が既に書き込まれている場合には、その情報が消去されて、新たな制御方式情報に書き換えられる。
【００２７】
次に、本実施形態における電子キーシステムの作動について説明する。まず、錠装置が施錠状態にあるときの解錠動作の例について説明する。図３は、本実施形態における電子キーシステムの解錠動作の一例を示すフローチャートである。錠装置１０が施錠状態にあるとき、照合制御ユニット１１はリクエスト信号を生成し、生成したリクエスト信号をドア送信アンテナ１２から定期的に発信させている。これにより、図２に示したような通信エリア（検知エリア）３０が車室外に形成される（ステップＳ１）。
【００２８】
携帯機２０を所持するユーザが車両の例えば運転席ドアに接近し、通信エリア３０内に携帯機２０が進入すると、携帯機２０は、錠装置１０側からのリクエスト信号を受信する。リクエスト信号を受信した携帯機２０は、リクエスト信号に応答して、識別コード信号等を錠装置１０に無線送信する。照合制御ユニット１１は、識別コード信号を受信ユニット１３で受信することにより携帯機２０の存在を検知できる。
【００２９】
照合制御ユニット１１は、携帯機２０の存在を検知すると（ステップＳ２）、受信した識別コードと、予めＲＯＭ内に記憶されている識別コードとを照合する（ステップＳ３、Ｓ４）。識別コードが一致していればステップＳ５に進み、一致していなければステップＳ２に戻る。
【００３０】
ステップＳ５では、照合制御ユニット１１は、携帯機２０の識別コードに対応する制御方式情報を不揮発性メモリ１８から読み出す。照合制御ユニット１１は、読み出した制御方式情報から、携帯機２０の制御方式が方式１であるか方式２であるかを判別する（ステップＳ６）。
【００３１】
携帯機２０の制御方式が方式１であれば、照合制御ユニット１１は解錠スタンバイ状態に遷移する（ステップＳ７）。解錠スタンバイ状態に遷移すると、照合制御ユニット１１は、運転席ドア（又は全てのドア）のドア解錠トリガスイッチ１４を起動させる。
【００３２】
このとき、携帯機２０を所持するユーザが、運転席ドアのドア解錠トリガスイッチ１４（タッチスイッチ）に触れると、当該ドア解錠トリガスイッチ１４から照合制御ユニット１１に解錠トリガ信号が出力される。
【００３３】
照合制御ユニット１１は、運転席ドアのドア解錠トリガスイッチ１４からの解錠トリガ信号を入力すると（ステップＳ８）、運転席ドア（又は全てのドア）のドア施解錠機構１６を駆動して錠を解錠させる（ステップＳ９）。
【００３４】
一方、ステップＳ６において携帯機２０の制御方式が方式２であれば、そのままステップＳ９に進み、運転席ドア（又は全てのドア）のドア施解錠機構１６を駆動して錠を解錠させる。すなわち、携帯機２０は当然に通信エリア３０内に存在しているため、他のトリガを要することなく錠が解錠される。以上の手順により、携帯機２０の制御方式が方式１又は方式２のいずれであっても車両ドアの錠が解錠される。
【００３５】
次に、錠装置が解錠状態にあるときの施錠動作の例について説明する。図４は、本実施形態における電子キーシステムの施錠動作の一例を示すフローチャートである。例えば、車両のエンジンが停止した後に運転席ドアが開閉されると、照合制御ユニット１１は、ドア送信アンテナ１２からリクエスト信号を定期的に発信させ、車室外に通信エリア３０を形成する（ステップＳ１１）。
【００３６】
携帯機２０を所持するユーザが運転席ドアを閉じたとき、携帯機２０は車室外の通信エリア３０内に存在するため、リクエスト信号に応答して、識別コード信号等を錠装置１０に無線送信する。照合制御ユニット１１は、識別コード信号を受信することにより携帯機２０の存在を検知できる。
【００３７】
照合制御ユニット１１は、携帯機２０の存在を検知すると（ステップＳ１２）、受信した識別コードと、予めＲＯＭ内に記憶されている識別コードとを照合する（ステップＳ１３、Ｓ１４）。識別コードが一致していればステップＳ１５に進み、一致していなければステップＳ１２に戻る。
【００３８】
ステップＳ１５において、照合制御ユニット１１は、携帯機２０の識別コードに対応する制御方式情報を不揮発性メモリ１８から読み出す。照合制御ユニット１１は、読み出した制御方式情報から、携帯機２０の制御方式が方式１であるか方式２であるかを判別する（ステップＳ１６）。
【００３９】
携帯機２０の制御方式が方式１であれば、照合制御ユニット１１は施錠スタンバイ状態に遷移する（ステップＳ１７）。施錠スタンバイ状態に遷移すると、照合制御ユニット１１は、運転席ドア（又は全てのドア）のドア施錠トリガスイッチ１５を起動させる。
【００４０】
このとき、携帯機２０を所持するユーザが、運転席ドアのドア施錠トリガスイッチ１５を操作すると、当該ドア施錠トリガスイッチ１５から照合制御ユニット１１に施錠トリガ信号が出力される。
【００４１】
照合制御ユニット１１は、運転席ドアのドア施錠トリガスイッチ１５からの施錠トリガ信号を入力すると（ステップＳ１８）、例えば全てのドアのドア施解錠機構１６を駆動して錠を施錠させる（ステップＳ２０）。
【００４２】
一方、ステップＳ１６において携帯機２０の制御方式が方式２であれば、ステップＳ１９に進む。携帯機２０を所持するユーザが車両から離れ、携帯機２０が通信エリア３０外に移動すると、携帯機２０はリクエスト信号を受信できなくなるため識別コード信号の送信を停止する。これにより、錠装置１０の照合制御ユニット１１は携帯機２０の存在を検知できなくなる。
【００４３】
照合制御ユニット１１は、携帯機２０の存在を検知できなくなった場合には（ステップＳ１９）、ステップＳ２０に進み、例えば全てのドアのドア施解錠機構１６を駆動して錠を施錠させる。以上の手順により、携帯機２０の制御方式が方式１又は方式２のいずれであっても車両ドアの錠が施錠される。
【００４４】
以上説明したように、本実施形態の錠装置１０では、携帯機２０からの識別コードを受信したとき、照合制御ユニット１１は、当該識別コードに対応する制御方式情報を不揮発性メモリ１８から読み出す。照合制御ユニット１１は、識別コードに対応する制御方式が方式１であればトリガ信号に基づいて錠の施解錠を行い、識別コードに対応する制御方式が方式２であれば通信エリア３０内の携帯機２０の有無に基づいて錠の施解錠を行う。識別コードに対応する制御方式情報は、不揮発性メモリ１８に書換え可能に記憶されており、設定操作信号に基づいて書き換えられるようになっている。したがって本実施形態によれば、電子キーシステム１の制御方式をユーザの希望する制御方式に変更することが可能になるため、利便性のより高い電子キーシステム１が得られる。
【００４５】
また本実施形態によれば、ユーザの操作により設定操作信号を出力する設定操作スイッチ１７が錠装置１０に設けられているため、携帯機２０の識別コードに対応する制御方式情報をユーザが容易に書き換えることができる。
【００４６】
さらに本実施形態では、電子キーシステム１に複数の携帯機２０が用意されている場合、携帯機２０毎に個別に制御方式を設定することができる。このため、電子キーシステム１の制御方式は、各携帯機２０を所持するユーザ毎の好みに応じてそれぞれ設定される。したがって本実施形態によれば、電子キーシステム１の使い勝手及び商品性が大いに向上する。
【００４７】
（第２実施形態）
次に、本発明の第２実施形態について図５を用いて説明する。図５は、本実施形態における電子キーシステムの構成を示すブロック図である。図５に示すように、本実施形態の電子キーシステム２は、第１実施形態と比較すると、設定操作手段が錠装置１０に設けられておらず、設定操作手段を接続可能な接続端子１９が錠装置１０に設けられている点に特徴を有している。
【００４８】
接続端子１９には、ユーザ等の操作により設定操作信号を出力する所定の設定操作ツール４０の接続端子が着脱可能に接続されるようになっている。設定操作ツール４０は、例えば、車両の電子制御システムの診断を行う診断ツールに機能を付加することにより実現される。設定操作ツール４０の接続端子を錠装置１０の接続端子１９に接続した状態で、ユーザ等が設定操作ツール４０に対して所定の操作を行うと、設定操作ツール４０から出力された設定操作信号が接続端子１９を介して照合制御ユニット１１に入力されるようになっている。照合制御ユニット１１は、入力した設定操作信号に基づいて、携帯機２０の識別コードに対応する制御方式を不揮発性メモリ１８に書き込むようになっている。
【００４９】
電子キーシステム２のその他の構成、並びに錠装置１０の解錠動作及び施錠動作については、第１実施形態と同様であるので説明を省略する。
【００５０】
本実施形態によれば、設定操作ツール４０を接続端子１９に接続し、ユーザ等が設定操作ツール４０を操作することによって、携帯機２０の識別コードに対応する制御方式情報を容易に書き換えられるようになる。したがって、電子キーシステム２の制御方式をユーザの希望する制御方式に変更することができるため、利便性の高い電子キーシステム２が得られる。
【００５１】
また本実施形態では、必要時以外には設定操作ツール４０を錠装置１０から取り外すことができるため、錠装置１０を小型軽量化できる。
【００５２】
（その他の実施形態）
上記実施形態では車両用の電子キーシステムを例に挙げたが、住宅用等の電子キーシステムにも適用できる。
【符号の説明】
【００５３】
１、２  電子キーシステム
１０  錠装置
１１  照合制御ユニット（制御手段）
１２  ドア発信ユニット（発信手段）
１３  受信ユニット（受信手段）
１４  ドア解錠トリガスイッチ（解錠操作手段）
１５  ドア施錠トリガスイッチ（施錠操作手段）
１６  ドア施解錠機構
１７  設定操作スイッチ（設定操作手段）
１８  不揮発性メモリ（記憶手段）
１９  接続端子
２０  携帯機
３０  通信エリア
４０  設定操作ツール（設定操作手段）
【図１】
2010229682.tif 000003
【図２】
2010229682.tif 000004
【図３】
2010229682.tif 000005
【図４】
2010229682.tif 000006
【図５】
2010229682.tif 000007